(57)【要約】【課題】商品陳列棚に対する商品陳列補助具の傾斜状態を一定にして見やすくする。【解決手段】商品陳列補助具１の下面部７及び上面部１１には、上折り返し部１６、１８と下折り返し部１７、１９を介して、シートＳ１、Ｓ２が装着される。商品陳列棚Ｅの前端面Ｆに係合アッタチメント２が係合され、この係合アッタチメント２の前面の係合受け部５に、上記下面部７の背面の乗り部６が係合され、商品陳列補助具１が固定される。上記上面部１１の背面の背面部１２が商品陳列棚Ｅの上面に当接して商品陳列補助具１が安定する。これにより、商品の情報を見る基準位置である商品陳列棚の前端面を基準として商品陳列補助具を固定でき、商品情報を見やすくできる。また、商品陳列棚Ｅの前端面Ｆに装着していたシートＳ１をそのまま下面部７に装着できる。【選択図】図１
2012081151.tif 000002
【特許請求の範囲】
【請求項１】
商品陳列棚の長尺状の前端面にほぼ水平の長手方向に沿って形成される係合部につき、この係合部の任意の位置に係合される、当該係合部の数分の一乃至数百分の一の長さの係合体と、
この係合体の前面に形成され、下方から上方に延びる板状の係合受け部と、
この係合体の前面と上記係合受け部との間に挿脱自在に入り込む上方から下方に延びる板状の乗り部と、
この乗り部の上方からほぼ下方に延びる板状の下面部であって、上記係合受け部は上記乗り部と当該下面部との間に入り込み、
この下面部の上に形成され、傾斜している板状の上面部と、
この上面部の上縁から下方に延び、上記商品陳列棚の上面に達する板状の背面部とであって、
この背面部の下縁は、上記係合体の奥端よりさらに奥に位置し、当該係合体の上端とほぼ同じ高さに位置し、
これら乗り部、下面部、上面部、背面部は、上記商品陳列棚のほぼ水平方向に延びる前端面に沿ってほぼ水平方向に延びていて、この商品陳列棚の前端面より短いことを特徴とする商品陳列補助具。
【請求項２】
上記背面部の先端の下縁から上方に延びる板状の背面受け部と、
この背面受け部と上記背面部との間の任意の位置に挿脱自在に入り込む板状の背面乗り部と、
この背面乗り部に繋がり、上記背面部とほぼ直交する方向に延び、しかも上記ほぼ水平方向に延びる商品陳列棚上面に対してほぼ垂直に延びる板状の仕切り部とをさらに備えたことを特徴とする請求項１記載の商品陳列補助具。
【請求項３】
上記仕切り部の下縁には、上記商品陳列棚の上面に沿って広がり、当該商品陳列棚の上面に乗る板状の仕切り基部が形成され、この仕切り基部は上記仕切り部より小さいことを特徴とする請求項２記載の商品陳列補助具。
【請求項４】
上記係合部は、上記商品陳列棚の前端面の上縁と下縁とにはほぼ水平方向に延びる折り返し部であり、この折り返し方向は当該上縁と下縁とでは逆向きであり、
上記係合体の端面の上縁と下縁とにはほぼ水平方向に延びる折り返し部が形成され、この折り返し方向は当該上縁と下縁とでは逆向きであり、しかも係合体の折り返し部の折り返し方向と、上記商品陳列棚の前端面の係合部の折り返し部の折り返し方向とは逆向きであって、互いに係合可能であることを特徴とする請求項１記載の商品陳列補助具。
【請求項５】
上記下面部の前面上縁と下縁とにはほぼ水平方向に延びる折り返し部が設けられ、この折り返し方向は当該上縁と下縁とでは対向して逆向きであり、この上下の折り返し部の間隔は、上記商品陳列棚の前端面の折り返し部の間隔にほぼ一致しており、  これら上下の折り返し部に渡ってシート体を差し込んで取り付けることができ、  しかも商品陳列棚の前端面に装着されるシート体を当該下面部にも装着可能であることを特徴とする請求項４記載の商品陳列補助具。
【請求項６】
上記下面部は下方に延び、しかも商品陳列棚の前端面に対し前に向かって傾斜しており、この下面部は、上記商品陳列棚のほぼ水平方向に延びる前端面を覆い隠すことを特徴とする請求項５記載の商品陳列補助具。
【請求項７】
上記上面部の前面上縁と下縁とにはほぼ水平方向に延びる折り返し部が設けられ、この折り返し方向は当該上縁と下縁とでは対向して逆向きであり、これら上下の折り返し部に渡ってシート体を差し込んで取り付けることができることを特徴とする請求項６記載の商品陳列補助具。
【請求項８】
上記背面部と背面受け部との下端には切欠されて穴部が形成され、この穴部には上記係合部の係合受け部が挿入可能となっており、  これにより商品陳列補助具の背面でも商品陳列補助具が商品陳列の前端面に固定可能となっていることを特徴とする請求項７記載の商品陳列補助具。
【発明の詳細な説明】
【技術分野】
【０００１】
本発明は、商品陳列補助具に関し、特に商品（製品等も含む。以下同じ）を陳列した棚に取り付けられ、陳列された商品の情報を表示したり、商品の転落を防止したり、異なる商品を区切ったりするものに関する。
【背景技術】
【０００２】
近年、商品を陳列する棚に取り付けて、当該商品の価格、名称、内容量、広告、その他の関連情報を表示するものが考えられている。例えば以下のものである。
【０００３】
【特許文献１】特開２００２−６２８０６号公報
【特許文献２】特開２００３−１８０４９４号公報
【特許文献３】登録実用新案第３０５７６４３号公報
【発明の開示】
【発明が解決しようとする課題】
【０００４】
本件発明は、上述した課題を解決するためになされたものであり、本発明の目的は、商品陳列補助具を、スペースを取らず、しかも表示される情報が見やすいものにすることにある。
【課題を解決するための手段】
【０００５】
上記目的を達成するために、本発明の商品陳列補助具は、  商品陳列棚の長尺状の前端面にほぼ水平の長手方向に沿って形成される係合部につき、この係合部の任意の位置に係合される、当該係合部の数分の一乃至数十分の一の長さの係合体と、  この係合体の前面に形成され、下方から上方に延びる板状の係合受け部と、  この係合体の前面と上記係合受け部との間に挿脱自在に入り込む上方から下方に延びる板状の乗り部と、  この乗り部の上方からほぼ下方に延びる板状の下面部であって、上記係合受け部は上記乗り部と当該下面部との間に入り込み、  この下面部の上に形成され、傾斜している板状の上面部と、  この上面部の上縁から下方に延び、上記商品陳列棚の上面に達する板状の背面部とであって、  この背面部の下縁は、上記係合体の奥端よりさらに奥に位置し、当該係合体の上端とほぼ同じ高さに位置し、  これら乗り部、下面部、上面部、背面部は、上記商品陳列棚のほぼ水平方向に延びる前端面に沿ってほぼ水平方向に延びていて、この商品陳列棚の前端面より短いようにした。
【発明の効果】
【０００６】
これにより、商品の価格等の表示面である、商品陳列棚の前端面を基準として商品陳列補助具を固定でき、商品陳列棚に対する相対位置を固定させて、商品陳列棚に対する商品陳列補助具の傾斜状態を一定にし、購入者（見る者、見学者、検索者なども含む。以下同じ）に対する下面部と上面部の位置を一定にして見やすくできる。商品陳列補助具を商品陳列棚の上面に設置すると、商品陳列補助具１の商品陳列棚Ｅの前端面Ｆに対する相対位置がばらついて一定とならず、傾斜状態も一定とならず、商品陳列補助具の前面を見にくくなる。
【０００７】
また、商品陳列棚の上に商品陳列補助具を「置く」かたちにしなくて済み、この商品陳列棚の上に置くかたちになると、商品陳列補助具の奥端の上に商品を乗せることになり、商品を陳列してから、商品陳列補助具を動かすのが困難になるが、このようなことがなくなる。さらに、商品陳列棚の前端面と商品陳列補助具との間隔を最低限にできるので、商品陳列補助具の設置にあたり余分にスペースを取らない。
【０００８】
また、この背面部の下縁は、上記係合体の奥端よりさらに奥に位置し、当該係合体の上端とほぼ同じ高さに位置するので、背面部の下縁が商品陳列棚Ｅの上面に確実に当接して、取り付けられた商品陳列補助具がぐらつかず安定する。
【発明を実施するための最良の形態】
【０００９】
（１）商品陳列補助具１の全体構造
図１〜図２は不透明樹脂製の商品陳列補助具１の外観及び側面を示す。商品陳列棚Ｄは平坦な板状で、ほぼ水平方向に長尺状に延びており、上下に複数平行に店舗、倉庫、工場などに配列されている。この商品陳列棚Ｅの前端面Ｆもほぼ水平方向に長く延びている。
【００１０】
この前端面Ｆの上縁と下縁とにはほぼ水平方向に延びる上折り返し部ＲＴ、下折り返し部ＲＢが形成されている。この上折り返し部ＲＴ、下折り返し部ＲＢは、断面「Ｕ字状」であり、上折り返し部ＲＴの折り返し方向は下向きで、下折り返し部ＲＢの折り返し方向は上向きである。この上折り返し部ＲＴ及び下折り返し部ＲＢも、ほぼ水平方向に長く延びている。
【００１１】
したがって、上折り返し部ＲＴと下折り返し部ＲＢとの折り返し方向は互いに逆向きで向き合って対向している。この上折り返し部ＲＴに下方からシートＳ１の上縁を挿入差し込み、下折り返し部ＲＢに上方からシートＳ１の下縁を挿入差し込んで、シートＳ１を商品陳列棚Ｅの前端面Ｆに装着固定できる。この上折り返し部ＲＴ及び下折り返し部ＲＢによって、商品陳列棚Ｅの前端面Ｆの係合部Ｋを構成する。
【００１２】
係合アタッチメント２（係合体）は断面「コ字状」で、空洞の直方体状をしている。この係合アタッチメント２の「コ字状」の先端である、奥端の上縁は上方へ折り曲げられ、上折り返し部３となっており、同じく奥端の下縁は下方へ折り曲げられ、下折り返し部４となっている。この上折り返し部３及び下折り返し部４も、ほぼ水平方向に長く延びている。
【００１３】
したがって、上折り返し部３と下折り返し部４との折り返し方向は互いに逆向きで外向きに背中合わせになっている。この係合アタッチメント２の上折り返し部３の折り返し方向と、上記商品陳列棚Ｅの前端面Ｆの上折り返し部ＲＴの折り返し方向は互いに逆向きで係合可能であり、係合アタッチメント２の下折り返し部４の折り返し方向と、上記商品陳列棚Ｅの前端面Ｆの下折り返し部ＲＢの折り返し方向は互いに逆向きで係合可能である。
【００１４】
この上折り返し部３は、上記商品陳列棚Ｅの前端面Ｆの上折り返し部ＲＴに下方から挿入差し込まれ、また下折り返し部４は、前端面Ｆの下折り返し部ＲＢに上方から挿入差し込まれ、係合アタッチメント２は商品陳列棚Ｅの前端面Ｆに係合されて装着固定できる。
【００１５】
この係合アタッチメント２もほぼ水平方向に長く延びており、この係合アタッチメント２の長さは、上記商品陳列棚Ｅの前端面Ｆの長さの数分の一乃至数百分の一、例えば数十分の一で、数十ｍｍ、例えば４０ｍｍほどであり、幅は例えば１７ｍｍ、高さは例えば２０ｍｍ、係合受け部５の高さは例えば１２ｍｍ、上折り返し部３と下折り返し部４の幅は例えば１〜３ｍｍほどである。
【００１６】
この係合アタッチメント２の前面の下縁から上方に向かって断面「Ｌ字状」の係合受け部５が延出されている。この係合受け部５は平坦な方形板状で、係合アタッチメント２と同じ長さを有し、高さは係合アタッチメント２の前面よりやや低くなっている。
【００１７】
この係合受け部５の背面と上記係合アタッチメント２の前面との間には、平坦な板状の乗り部６が挿脱自在に上方から入り込む。この乗り部６は断面「Ｌ字状」で上方から下方に延びている。この乗り部６の上縁から下方に向かって平坦な板状の下面部７が形成されている。上記係合受け部５は、この下面部７背面と乗り部６の前面との間に挿脱自在に下方から入り込む。この乗り部６の高さは、係合受け部５の高さより大きい。
【００１８】
上記乗り部６の前面中央には係止突起８が形成され、上記係合受け部５の背面中央には係止凹部９が形成され、これら係止突起８と係止凹部９とが係合しあって、下面部７が係合アッタチメント２から容易に外れなくなる。
【００１９】
上記下面部７は下方に延び、しかも商品陳列棚Ｅの前端面Ｆに対し前に向かって傾斜している。この傾斜角は垂線／垂直に対して５度乃至２０度、望ましくは１０度乃至１５度ほどである。したがって、商品を見るものつまり購入者に下面部７を見やすくできる。この下面部７は、上記商品陳列棚Ｅの前端面Ｆを覆い隠すこともできる。したがって、商品陳列棚Ｅの前端面Ｆを購入者から隠して、購入者が混乱するのが防止される。
【００２０】
この下面部７の上縁から上方には湾曲した円筒板状の上面部１１が延びて形成されている。上面部１１は断面が１／４円弧状で傾斜している。したがって、商品を見るものつまり購入者に上面部１１を見やすくできる。
【００２１】
この上面部１１の上縁からほぼ直角９０度に下方へ折れ曲がって平坦な板状の背面部１２が繋がって形成されている。この背面部１２は、上記商品陳列棚Ｅの上面に達している。この背面部１２の先端の下縁は断面「コ字状」に反転して平坦な板状の背面受け部１３が上方に延びている。背面部１２及び背面受け部１３が商品陳列棚Ｅの上面に達しているので、取り付けた商品陳列補助具１が安定してぐらつかない。
【００２２】
このような背面部１２及び背面受け部１３並びに上面部１１は商品陳列棚Ｅの上面より高いので、商品陳列棚Ｅの上面の商品が、商品陳列棚Ｅの手前から落下するのが防止される。上記商品陳列棚Ｅの上面の前端には柵枠Ｇが立設され、この柵枠Ｇは、商品陳列棚Ｅの前端面Ｆに沿って設けられている。上記上面部１１はこの柵枠Ｇを越え、上記背面部１２はこの柵枠Ｇの背面に位置する。柵枠Ｇの高さは３０ｍｍ〜５０ｍｍほどのいろいろな種類がある。
【００２３】
このような乗り部６、下面部７、上面部１１、背面部１２、背面受け部１３は、上記商品陳列棚Ｅのほぼ水平方向に延びる前端面Ｆに沿ってほぼ水平方向に延びている。乗り部６、下面部７、上面部１１、背面部１２、背面受け部１３は、同じ長さで、この商品陳列棚Ｅの前端面Ｆより短い。
【００２４】
これらの長さは数十ｃｍ、例えば３０ｃｍである。商品陳列棚Ｅの長さは数十ｃｍ乃至数十ｍ、例えば３０ｃｍ乃至１８０ｍなどである。これにより、商品陳列棚Ｅの前端面Ｆの任意の位置に任意の数で商品陳列補助具１を取り付けることができ、見やすい状態で商品陳列補助具１を設置できる。
【００２５】
上記商品陳列棚Ｅの前端面Ｆの高さ及び下面部７の高さは例えば３５ｍｍ、上面部１１の周縁の長さは例えば５０ｍｍ、上面部１１の高さは例えば３５ｍｍ、上面部１１の幅は例えば３５ｍｍ、係合受け部５の高さは１７ｍｍ、背面部１２の高さは３５ｍｍ、背面受け部１３の高さは２０ｍｍほどである。
【００２６】
（２）下面部７及び上面部１１の構造
図２及び図３は下面部７及び上面部１１を示す。上記下面部７の上縁と下縁とにはほぼ水平方向に延びる上折り返し部１６、下折り返し部１７が形成されている。この上折り返し部１６、下折り返し部１７は、断面「Ｕ字状」であり、上折り返し部１６の折り返し方向は下向きで、下折り返し部１７の折り返し方向は上向きである。この上折り返し部１６及び下折り返し部１７も、ほぼ水平方向に長く延びている。
【００２７】
したがって、上折り返し部１６と下折り返し部１７との折り返し方向は互いに逆向きで向き合って対向している。この上折り返し部１６に下方からシートＳ１の上縁を挿入差し込み、下折り返し部１７に上方からシートＳ１の下縁を挿入差し込んで、シートＳ１を下面部７に装着固定できる。
【００２８】
この上下の折り返し部１６、１７の間隔は、上記商品陳列棚Ｅの前端面Ｆの折り返し部ＲＴ、ＲＢの間隔にほぼ一致している。したがって、商品陳列棚Ｅの前端面Ｆに装着されるシートＳ１を当該下面部７にも装着可能となり、商品陳列棚Ｅの前端面Ｆが商品陳列補助具１で隠れても、商品陳列棚Ｅの前端面Ｆに装着されるシートＳ１をそのまま下面部７に装着できる。
【００２９】
また、この下面部７の上折り返し部１６と下折り返し部１７には、上述の商品陳列棚Ｅの前端面Ｆに装着できる係合アッタチメント２を同様に挿脱自在に装着できる。なぜなら、上下の折り返し部１６、１７の間隔は、上記商品陳列棚Ｅの前端面Ｆの折り返し部ＲＴ、ＲＢの間隔にほぼ一致しているからである。むろん、一方が他方より大きく異なっていてもよい。
【００３０】
したがって、商品陳列棚Ｅの前端面Ｆの前に係合アッタチメント２を介して装着した商品陳列補助具１の前に、係合アッタチメント２を介して商品陳列補助具１をさらに装着できる。同様にして、商品陳列補助具１を前方に向かって何重にも重ねて装着でき、商品陳列補助具１を効率よく整理できる。
【００３１】
上記上面部１１の上縁と下縁とにはほぼ水平方向に延びる上折り返し部１８、下折り返し部１９が形成されている。この上折り返し部１８、下折り返し部１９は、断面「Ｕ字状」であり、上折り返し部１８の折り返し方向は下向きで、下折り返し部１９の折り返し方向は上向きである。この上折り返し部１８及び下折り返し部１９も、ほぼ水平方向に長く延びている。
【００３２】
したがって、上折り返し部１８と下折り返し部１９との折り返し方向は互いに逆向きで向き合って対向している。この上折り返し部１８に下方からシートＳ２の上縁を挿入差し込み、下折り返し部１９に上方からシートＳ２の下縁を挿入差し込んで、シートＳ２を上面部１１に装着固定できる。
【００３３】
この上面部１１の下折り返し部１９と上記下面部７の上折り返し部１６とは、背中合わせで一体化されている。これにより、シートＳ１とシートＳ２とを上下に接近させて隣り合わせで並べて配置することができ、購入者に見やすくできる。上記シートＳ１、Ｓ２には、商品の価格、名称、内容量、広告、その他の関連情報等が表示されている。
【００３４】
この上面部１１の上折り返し部１８と下折り返し部１９との間隔は、上記下面部７の上折り返し部１６と下折り返し部１７との間隔より大きい。むろん同じでもよい。大きければ、大きさの異なるシートＳ１、Ｓ２をそれぞれ商品陳列補助具１に装着でき、より多様な商品の価格、名称、内容量、広告、その他の関連情報を購入者等に提示できる。
【００３５】
このような上折り返し部１６、下折り返し部１７、上折り返し部１８、下折り返し部１９は、上記商品陳列棚Ｅのほぼ水平方向に延びる前端面Ｆに沿ってほぼ水平方向に延びている。上折り返し部１６、下折り返し部１７、上折り返し部１８、下折り返し部１９は、同じ長さで、例えば３０ｃｍであり、幅は例えば１〜３ｍｍほどである。
【００３６】
これらの長さは、上述の下面部７、上面部１１、背面部１２、背面受け部１３などと同じ長さである。この商品陳列棚Ｅの前端面Ｆより短い。これにより、商品陳列棚Ｅの前端面Ｆの任意の位置に任意の数でシートＳ１、Ｓ２を取り付けることができ、見やすい状態でシートＳ１、Ｓ２を設置できる。
【００３７】
（３）仕切り部２１、仕切り基部２２及び背面乗り部２４
図３及び図４は透明樹脂製の仕切り部２１及び仕切り基部２２を示す。仕切り基部２２は平坦な方形板状であり、上記商品陳列棚Ｅの上面に置かれて乗り、商品陳列棚Ｅの上面に沿って広がっている。
【００３８】
この仕切り基部２２の側縁はほぼ垂直に立ちあがって仕切り部２１が形成されている。この仕切り部２１は平坦な方形板状であり、上記仕切り基部２２より大きく、商品陳列棚Ｅの上面に対してほぼ垂直に延び、上記背面部１２及び背面受け部１３とほぼ直交している。
【００３９】
この仕切り部２１の手前縁の上部は、手前に延出されて延出部２３となっている。これにより、仕切り部２１で仕切られた商品が仕切り部２１を越えて隣にずれてしまうことがない。この延出部２３は透明なので、下面部７及び上面部１１より手前に延出されていても、下面部７及び上面部１１のシートＳ１、Ｓ２を覆い隠してしまうことがない。また、仕切り部２１は透明なので、陳列されている商品が仕切り部２１で隠されず見通すことができる。
【００４０】
この仕切り部２１の延出部２３の下側の手前縁は上記仕切り基部２２と同じ側にほぼ直角９０度に折れ曲がって平坦な板状の背面乗り部２４に繋がっている。この背面乗り部２４は、上記仕切り部２１及び仕切り基部２２に比べてかなり小さく、上記背面部１２及び背面受け部１３と平行になっている。
【００４１】
この背面乗り部２４と仕切り部２１との繋がる折り曲げ部の下部分は切り欠かれ、この切欠き部２５には、上記背面受け部１３が下方から任意の位置に入り込み、背面乗り部２４は上記背面部１２の背面と背面受け部１３の前面との間に挿脱自在に上方から任意の位置に入り込む。これにより、商品陳列補助具１に対して仕切り部２１及び仕切り基部２２を任意の位置に取り付けることができる。
【００４２】
また、背面乗り部２４は、背面部１２と背面受け部１３との隙間内をスライド可能となっている。これにより、商品陳列補助具１に対して仕切り部２１及び仕切り基部２２をスライドさせることができ、商品陳列棚Ｅの上に乗せられる商品の大きさ、量に応じて、仕切り部２１及び仕切り基部２２を最適に位置にすることができる。
【００４３】
この背面乗り部２４の下方には穴２６が開けられ、また上記背面部１２及び背面受け部１３の左右両端にも穴２７、２７が開けられる。これらの穴２６、２７、２７をホックピン２８が挿通されて、商品陳列補助具１の両端には、仕切り部２１及び仕切り基部２２が固定される。
【００４４】
この左右両端の仕切り部２１、仕切り基部２２及び背面乗り部２４の配置は左右対称となっている。これにより、商品陳列補助具１の左右両端で仕切り基部２２をさらに外側にははみ出さないように取り付けることができる。
【００４５】
上記背面部１２及び背面受け部１３の下縁の繋がる部分の一部は切欠されて穴部２９が形成されている。この穴部２９の長さは上記係合受け部５の長さより若干大きく、この穴部２９には、上記係合アッタチメント２の係合受け部５が下方から挿入可能となっている。
【００４６】
これにより、商品陳列補助具１の下面部７の裏面側だけでなく、背面部１２の背面部分でも、商品陳列棚Ｅの前端面Ｆに固定できる。この場合、背面部１２が商品陳列棚Ｅの上面から離れるが、商品陳列棚Ｅの上面前端には柵枠Ｇがあるので、商品の転落が防止される。また、商品陳列棚Ｅの前端面Ｆの上縁と上面部１１との段差が全く無くなるかほとんど無くなるので、商品陳列棚Ｅの上に陳列した商品をより見やすくできる。
【００４７】
上記背面部１２の下縁は、上記係合係合アッタチメント２の奥端よりさらに奥に位置し、当該係合アッタチメント２の上端とほぼ同じ高さに位置する。これにより、背面部１２の下縁が商品陳列棚Ｅの上面に確実に当接して、取り付けられた商品陳列補助具１がぐらつかず安定する。
【００４８】
（４）他の実施の形態
本発明は、上記実施例に限定されず、種々変更可能である。例えば、商品陳列棚Ｅ、この前端面Ｆ、商品陳列補助具１、乗り部６、下面部７、上面部１１、背面部１２、背面受け部１３などは、水平方向ではなく、水平方向から若干でも傾いていてもよい。
【００４９】
上記係合アッタチメント２の上折り返し部３は下向きにされ、下折り返し部４は上向きにされ、上記商品陳列棚Ｅの前端面Ｆの係合部Ｋの上折り返し部ＲＴは上向きにされ、下折り返し部ＲＢは下向きにされて、上述と逆向きにされてもよく、係合できればどのような形でもよい。同様に、下面部７の上折り返し部１６と下折り返し部１７、上面部１１の上折り返し部１８と下折り返し部１９の折り返しの向きは逆向きでもよい。
【００５０】
上折り返し部３、１６、１８、ＲＴと下折り返し部４、１７、１９、ＲＢの向きは水平方向のほか垂直方向、斜め方向など、どのような方向に形成されてもよい。上折り返し部３、１６、１８、ＲＴと下折り返し部４、１７、１９、ＲＢによる固定は、代わりに磁石、面ファスナー、接着剤、接着テープ、フック及びホック、ボルト及びナット、ねじなどなんでもよい。
【００５１】
上折り返し部３、１６、１８、ＲＴと下折り返し部４、１７、１９、ＲＢの折り返し方向は互いに逆ではなく、互いに上向き、下向きなど、同じ向きでもよい。下面部７はカーブ、湾曲していても良いし、傾斜せず、垂直方向でもよい。上面部１１は、横向きの角筒面でもよいし、カーブせず、平面状でもよいし、傾斜いていてもよい。
【００５２】
上折り返し部１６と下折り返し部１７との間隔と、上折り返し部１８と下折り返し部１９との間隔は、一致していてもよい。下面部７、上面部１１、上折り返し部１６、１８と下折り返し部１７、１９の数は２組ではなく、３組以上でもよいし、片方を省略して１組にしてもよい。
【００５３】
上折り返し部３、１６、１８、ＲＴ、下折り返し部４、１７、１９、ＲＢ、係合アタッチメント４、係合受け部５、乗り部６、下面部７、上面部１１、背面部１２、背面受け部１３、仕切り部２１、仕切り基部２２、延出部２３、背面乗り部２４は、一本の堤状、一本の板状ではなく、断続的な形状でもよい。
【００５４】
上記係合受け部５、乗り部６、下面部７、上面部１１、背面部１２、背面受け部１３、仕切り部２１、仕切り基部２２、延出部２３、背面乗り部２４などは平坦であったが、カーブ、湾曲、波状、段差状、網状、櫛状などの形状であってもよい。
【００５５】
シートＳ１、Ｓ２は、方形状であるが、円形、楕円形、多角形、平面のほか立体状など、商品陳列棚Ｅの前端面Ｆ、下面部７、上面部１１に装着できればどのような形でもよいし、予め商品陳列棚Ｅの前端面Ｆ、下面部７、上面部１１に固定されたり直接印刷されたりしていてもよい。
【００５６】
上記背面部１２背面と背面受け部１３前面との隙間、係合アッタチメント２前面と係合受け部５背面との隙間、乗り部６前面と下面部７背面との隙間、係合受け部５、乗り部６、背面受け部１３は、いずれも同じ幅／同じ厚さであったが、異なっていてもよい。
【００５７】
上記係合アッタチメント２、上折り返し部３、１６、１８、ＲＴと下折り返し部４、１７、１９、ＲＢ、係合受け部５、乗り部６、下面部７、係止突起８、係止凹部９、上面部１１、背面部１２、背面受け部１３、仕切り部２１、仕切り基部２２、延出部２３、背面乗り部２４、切欠き部２５の厚さ／幅は同じであったが、異なっていてもよい。
【００５８】
穴部２９には１つの係合受け部５が挿入あれるが、穴部２９の大きさは大きくなって、１つの穴２９に複数の係合受け部５が挿入されても良いし、穴部２９の数は、２つではなく１つでもよいし、３つ以上でもよい。
【００５９】
仕切り基部２２は、仕切り部２１の片側だけではなく、両側に形成されていても良いし、仕切り部２１、仕切り基部２２、背面乗り部２４及び延出部２３の形状は、方形状のほか、三角形、多角形、半円形等でもよい。
【００６０】
背面乗り部２４は仕切り部２１の片側だけでなく、両側に形成されてもよい。仕切り部２１の手前側の下方の背面乗り部２４の背後にさらに背面乗り部２４が形成されて、この二枚の背面乗り部２４の間に上記背面受け部１３が下方から入り込んでもよい。これにより、仕切り部２１などが商品陳列補助具１に対してぐらつかなくなる。
【００６１】
仕切り部２１は商品陳列補助具１に対して直交する方向ではなく、斜めになっていてもよい。これにより、商品陳列棚Ｅの上面に入りきらない奥行きの長い商品を斜めにして陳列できる。背面部１２及び背面受け部１３並びに背面乗り部２４は、商品陳列棚Ｅの上面に対して垂直では無く傾斜していてもよい。
【００６２】
上記係合アッタチメント２、上折り返し部３、１６、１８、ＲＴと下折り返し部４、１７、１９、ＲＢ、係合受け部５、乗り部６、下面部７、係止突起８、係止凹部９、上面部１１、背面部１２、背面受け部１３、仕切り部２１、仕切り基部２２、延出部２３、背面乗り部２４、切欠き部２５、穴２６、２７、ホックピン２８、穴部２９、商品陳列棚Ｅ、柵枠Ｇ、上折り返し部ＲＴ、下折り返し部ＲＢ、係合部Ｋ、シートＳ１、Ｓ２の一部または全体は省略されてもよいし、その数が増えても減ってもよいし、その形状は任意に変更可能であり、均等の他の物に置き換えられてもよいし、これらの２つまたは３つ以上が合体または一体化されて兼用されてもよいし、材質は硬質樹脂製のほか、軟質樹脂製、木製、集成材製、合成材製、合板製、表面に化粧紙が接着されたもの、竹製、樹脂製、金属製、ガラス製、綿製、布製、糸製、繊維製、ゴム製、紙製、セラミック製、カーボン製、硬質ウレタン製、これらの合成物製／混合物製／多層積層物製でもよい。
【００６３】
（５）他の発明の効果
［１］商品陳列棚の長尺状の前端面にほぼ水平の長手方向に沿って形成される係合部につき、この係合部の任意の位置に係合される、当該係合部の数分の一乃至数百分の一の長さの係合体と、  この係合体の前面に形成され、下方から上方に延びる板状の係合受け部と、  この係合体の前面と上記係合受け部との間に挿脱自在に入り込む上方から下方に延びる板状の乗り部と、  この乗り部の上方からほぼ下方に延びる板状の下面部であって、上記係合受け部は上記乗り部と当該下面部との間に入り込み、  この下面部の上に形成され、傾斜している板状の上面部と、  この上面部の上縁から下方に延び、上記商品陳列棚の上面に達する板状の背面部とであって、  この背面部の下縁は、上記係合体の奥端よりさらに奥に位置し、当該係合体の上端とほぼ同じ高さに位置し、  これら乗り部、下面部、上面部、背面部は、上記商品陳列棚のほぼ水平方向に延びる前端面に沿ってほぼ水平方向に延びていて、この商品陳列棚の前端面より短いことを特徴とする商品陳列補助具。
【００６４】
［２］上記背面部の先端の下縁から上方に延びる板状の背面受け部と、  この背面受け部と上記背面部との間の任意の位置に挿脱自在に入り込む板状の背面乗り部と、  この背面乗り部に繋がり、上記背面部とほぼ直交する方向に延び、しかも上記ほぼ水平方向に延びる商品陳列棚上面に対してほぼ垂直に延びる板状の仕切り部とをさらに備えたことを特徴とする請求項１記載の商品陳列補助具。  これにより、商品陳列棚Ｅに陳列されている異なる商品を明確に区分、区別できる。また、仕切り部を商品陳列補助具に沿って任意の位置に移動させて、上記商品の大きさ、量に対応させることができる。
【００６５】
［３］上記仕切り部の下縁には、上記商品陳列棚の上面に沿って広がり、当該商品陳列棚の上面に乗る板状の仕切り基部が形成され、この仕切り基部は上記仕切り部より小さいことを特徴とする請求項２記載の商品陳列補助具。  これにより、仕切り部をぐらつかないように安定させることができる。
【００６６】
［４］上記係合部は、上記商品陳列棚の前端面の上縁と下縁とにはほぼ水平方向に延びる折り返し部であり、この折り返し方向は当該上縁と下縁とでは逆向きであり、  上記係合体の端面の上縁と下縁とにはほぼ水平方向に延びる折り返し部が形成され、この折り返し方向は当該上縁と下縁とでは逆向きであり、しかも係合体の折り返し部の折り返し方向と、上記商品陳列棚の前端面の係合部の折り返し部の折り返し方向とは逆向きであって、互いに係合可能であることを特徴とする請求項１記載の商品陳列補助具。  これにより、商品陳列棚の前端面にシートを装着できるとともに、このシートを装着できる構造をそのまま利用して、商品陳列棚の前端面に係合体及び商品陳列補助具を装着、固定できる。
【００６７】
［５］上記下面部の前面上縁と下縁とにはほぼ水平方向に延びる折り返し部が設けられ、この折り返し方向は当該上縁と下縁とでは対向して逆向きであり、この上下の折り返し部の間隔は、上記商品陳列棚の前端面の折り返し部の間隔にほぼ一致しており、  これら上下の折り返し部に渡ってシート体を差し込んで取り付けることができ、  しかも商品陳列棚の前端面に装着されるシート体を当該下面部にも装着可能であることを特徴とする請求項４記載の商品陳列補助具。  これにより、商品陳列棚の前端面に取り付けることのできる、シート体、係合体を、そのまま商品陳列補助具の下面部にも装着できる。
【００６８】
［６］上記下面部は下方に延び、しかも商品陳列棚の前端面に対し前に向かって傾斜しており、この下面部は、上記商品陳列棚のほぼ水平方向に延びる前端面を覆い隠すことを特徴とする請求項５記載の商品陳列補助具。  これにより、商品陳列棚の前端面に代えて下面部を購入者に混乱なく明確に提示できる。
【００６９】
［７］上記上面部の前面上縁と下縁とにはほぼ水平方向に延びる折り返し部が設けられ、この折り返し方向は当該上縁と下縁とでは対向して逆向きであり、これら上下の折り返し部に渡ってシート体を差し込んで取り付けることができることを特徴とする請求項６記載の商品陳列補助具。  これにより、上面部にもシート体を装着して、購入者に提示できる。
【００７０】
［８］上記背面部と背面受け部との下端には切欠されて穴部が形成され、この穴部には上記係合部の係合受け部が挿入可能となっており、  これにより商品陳列補助具の背面でも商品陳列補助具が商品陳列の前端面に固定可能となっていることを特徴とする請求項７記載の商品陳列補助具。  これにより、下面部の背面だけでなく、上面部の背面部の背面でも、商品陳列棚の前端面に商品陳列補助具を装着、固定できる。
【産業上の利用可能性】
【００７１】
商品陳列棚に対する商品陳列補助具の傾斜状態を一定にして見やすくする。商品陳列補助具１の下面部７及び上面部１１には、上折り返し部１６、１８と下折り返し部１７、１９を介して、シートＳ１、Ｓ２が装着される。商品陳列棚Ｅの前端面Ｆに係合アッタチメント２が係合され、この係合アッタチメント２の前面の係合受け部５に、上記下面部７の背面の乗り部６が係合され、商品陳列補助具１が固定される。
【００７２】
上記上面部１１の背面の背面部１２が商品陳列棚Ｅの上面に当接して商品陳列補助具１が安定する。これにより、商品の情報を見る基準位置である商品陳列棚の前端面を基準として商品陳列補助具を固定でき、商品情報を見やすくできる。また、商品陳列棚Ｅの前端面Ｆに装着していたシートＳ１をそのまま下面部７に装着できる。
【図面の簡単な説明】
【００７３】
【図１】商品陳列補助具１の外観を示す。
【図２】商品陳列補助具１の側面を示す。
【図３】商品陳列補助具１の外観を示す。
【図４】商品陳列補助具１の側面を示す。
【符号の説明】
【００７４】
１…商品陳列補助具、２…係合アタッチメント、
３…上折り返し部、４…下折り返し部、
５…係合受け部、６…乗り部、
７…下面部、８…係止突起、
９…係止凹部、１１…上面部、
１２…背面部、１３…背面受け部、
１６…上折り返し部、１７…下折り返し部、
１８…上折り返し部、１９…下折り返し部、
２１…仕切り部、２２…仕切り基部、
２３…延出部、２４…背面乗り部、
２５…切欠き部、２６、２７…穴、
２８…ホックピン、２９…穴部、
Ｅ…商品陳列棚、Ｆ…前端面、Ｇ…柵枠、
ＲＴ…上折り返し部、ＲＢ…下折り返し部、
Ｋ…係合部、Ｓ１、Ｓ２…シート。
【図１】
2012081151.tif 000003
【図２】
2012081151.tif 000004
【図３】
2012081151.tif 000005
【図４】
2012081151.tif 000006